(57)【特許請求の範囲】
【請求項１】
画像データを受信可能な受信部と、
画像データを記憶可能な記憶部と、
画像を印刷可能な印刷部と、
原稿の画像を読み取り可能な読取部と、
前記受信部及び前記読取部からの信号に基づいて前記記憶部及び前記印刷部を制御する制御部と、
を有しており、
前記制御部は、
前記受信部が複数枚に亘る画像データを受信したときに、当該画像データに含まれる一部の枚数についての画像を前記印刷部に印刷させ、前記画像データに含まれる残りの枚数についての画像および前記一部の枚数についての画像を対応付けて前記記憶部に記憶させる受信時処理部と、
前記読取部が原稿の画像を読み取ったときに、前記読取部が読み取った画像と、前記記憶部に記憶されている前記一部の枚数についての画像とが一致するか否か判定し、一致すると判定した前記一部の枚数についての画像に対応する前記残りの枚数についての画像を前記印刷部に印刷させる読取時処理部と、を有しており、
前記受信時処理部は、前記画像データに含まれる前記残りの枚数の画像に対応付けて、前記画像データの送信元の情報を前記記憶部に記憶させ、
前記読取時処理部は、前記読取部が読み取った画像に対応する前記残りの枚数の画像に対応付けられている送信元と、他の前記残りの枚数についての画像に対応付けられている送信元とが一致するか否か判定し、一致すると判定した前記他の残りの枚数についての画像を前記印刷部に印刷させる
画像通信装置。
【請求項２】
画像データを受信可能な受信部と、
画像データを記憶可能な記憶部と、
画像を印刷可能な印刷部と、
原稿の画像を読み取り可能な読取部と、
前記受信部及び前記読取部からの信号に基づいて前記記憶部及び前記印刷部を制御する制御部と、
を有しており、
前記制御部は、
前記受信部が複数枚に亘る画像データを受信したときに、前記画像データに含まれる一部の枚数についての画像に、受信毎に割り当てたマークを付加して前記印刷部に印刷させ、前記一部の枚数についての画像に対応する画像である、前記画像データに含まれる残りの枚数についての画像および前記マークの情報を対応付けて前記記憶部に記憶させる受信時処理部と、
前記読取部が原稿の画像を読み取ったときに、前記読取部が原稿から読み取った画像に含まれているマークと、前記記憶部に記憶されているマークとが一致するか否か判定し、一致すると判定したマークと対応付けられている前記残りの枚数についての画像を前記印刷部に印刷させる読取時処理部と、を有しており、
前記受信時処理部は、前記画像データに含まれる前記残りの枚数の画像に対応付けて、前記画像データの送信元の情報を前記記憶部に記憶させ、
前記読取時処理部は、前記読取部が読み取った画像に含まれているマークに一致すると判定された、前記記憶部に記憶されているマークに対応する前記残りの枚数の画像に対応付けられている送信元と、他の前記残りの枚数についての画像に対応付けられている送信元とが一致するか否か判定し、一致すると判定した前記他の残りの枚数についての画像を前記印刷部に印刷させる
画像通信装置。
【請求項３】
前記読取時処理部は、前記残りの枚数についての画像に、当該画像に対応付けられているマークを付加して前記印刷部に印刷させる
請求項２に記載の画像通信装置。
【請求項４】
前記受信時処理部は、前記残りの枚数についての画像と対応付けて所定の時刻を前記記憶部に記憶させ、
前記制御部は、前記記憶部に記憶されている前記所定の時刻が現在時刻に対して所定の条件を満たすか否か判定し、満たすと判定した前記所定の時刻に対応付けられている前記残りの枚数についての画像を前記記憶部から消去する時限データ消去部を有している
請求項１〜３のいずれか１項に記載の画像通信装置。
【請求項５】
ユーザの操作を受け付ける操作部を更に有しており、
前記制御部は、前記残りの枚数についての画像の印刷の有無に関わらず、前記操作部に対する所定の操作に応じて前記残りの枚数の画像を前記記憶部から消去する操作データ消去部を有している
請求項１〜４のいずれか１項に記載の画像通信装置。
【請求項６】
前記一部の枚数の画像は、最初に印刷されるものとして前記複数枚に亘る画像データによって規定されている１枚の画像である
請求項１〜５のいずれか１項に記載の画像通信装置。
【請求項７】
前記受信時処理部は、前記一部の枚数の印刷とともに、前記残りの枚数の割り付け印刷を前記印刷部に行わせる
請求項１〜６のいずれか１項に記載の画像通信装置。
【発明の詳細な説明】
【技術分野】
【０００１】
本発明は、ファクシミリ（ＦＡＸ）又は複合機（マルチファンクションプリンタ）などの画像通信装置に関する。
【背景技術】
【０００２】
ＦＡＸにおいて、受信した画像データを自動印刷するのではなく、受信した画像データから、印刷する画像データを選別可能としたものが知られている（例えば特許文献１）。特許文献１のＦＡＸは、画像データを受信しても自動印刷を行わずに、その画像データを記憶し、また、受信した画像データに関する受信日時及び送信元等の情報のリストを更新する。そして、ユーザは、ＦＡＸのタッチパネルを介して、ＦＡＸに記憶されている画像データのリストを閲覧し、印刷する画像データを選択し、ＦＡＸに印刷させる。
【先行技術文献】
【特許文献】
【０００３】
【特許文献１】特開２００２−２７１６１号公報
【発明の概要】
【発明が解決しようとする課題】
【０００４】
上記の技術では、種々の不都合が生じる。例えば、ＦＡＸは、自動印刷がなされる点がメリットでもある。具体的には、例えば、自動印刷がなされることによって、ユーザは着信の有無を簡便に把握することができ、また、受信した内容も容易に把握することができる。上記の技術では、そのような利便性が失われる。また、例えば、上記の技術では、タッチパネルを介して印刷する画像データを選択するが、受信日時及び送信元等から印刷の要否を判別することは必ずしも容易ではない。また、タッチパネルの操作に習熟する必要がある。
【０００５】
従って、印刷の要否の選択に関して利便性が高い画像通信装置が提供されることが望まれる。
【課題を解決するための手段】
【０００６】
本発明の一態様に係る画像通信装置は、画像データを受信可能な受信部と、画像データを記憶可能な記憶部と、画像を印刷可能な印刷部と、原稿の画像を読み取り可能な読取部と、前記受信部及び前記読取部からの信号に基づいて前記記憶部及び前記印刷部を制御する制御部と、を有しており、前記制御部は、前記受信部が複数枚に亘る画像データを受信したときに、一部の枚数について前記画像データに基づく画像を前記印刷部に印刷させ、少なくとも残りの枚数について前記画像データを前記記憶部に記憶させる受信時処理部と、前記読取部が原稿の画像を読み取ったときに、前記記憶部に記憶されている前記残りの枚数についての画像データから、読み取られた画像を前記一部の枚数についての画像とするものを特定し、特定した画像データに基づく画像を前記印刷部に印刷させる読取時処理部と、を有している。
【０００７】
好適には、前記受信時処理部は、前記一部の枚数についての画像データも前記記憶部に記憶させ、前記読取時処理部は、前記読取部が読み取った画像と、前記記憶部に記憶されている前記一部の枚数についての画像データに基づく画像とが一致するか否か判定し、一致すると判定した画像に対応する前記残りの枚数についての画像を前記印刷部に印刷させる。
【０００８】
好適には、前記受信時処理部は、前記一部の枚数についての画像に、受信毎に割り当てたマークを付加して前記印刷部に印刷させ、前記残りの枚数についての画像データに対応付けて前記マークの情報を前記記憶部に記憶させ、前記読取時処理部は、前記読取部が原稿から読み取った画像に含まれているマークと、前記記憶部に記憶されているマークとが一致するか否か判定し、一致すると判定したマークと対応付けられている前記残りの枚数についての画像データに基づく画像を前記印刷部に印刷させる。
【０００９】
好適には、前記読取時処理部は、前記残りの枚数についての画像に、当該画像の画像データに対応付けられているマークを付加して前記印刷部に印刷させる。
【００１０】
好適には、前記受信時処理部は、前記残りの枚数についての画像データと対応付けて所定の時刻を前記記憶部に記憶させ、前記制御部は、前記記憶部に記憶されている前記所定の時刻が現在時刻に対して所定の条件を満たすか否か判定し、満たすと判定した前記所定の時刻に対応付けられている前記残りの枚数についての画像データを前記記憶部から消去する時限データ消去部を有している。
【００１１】
好適には、前記画像通信装置は、ユーザの操作を受け付ける操作部を有しており、前記制御部は、前記残りの枚数についての画像データに基づく画像の印刷の有無に関わらず、前記操作部に対する所定の操作に応じて前記残りの枚数の画像データを前記記憶部から消去する操作データ消去部を有している。
【００１２】
好適には、前記画像通信装置は、ユーザの操作を受け付ける操作部を有しており、前記受信時処理部は、前記残りの枚数の画像データに対応付けて、当該画像データの送信元の情報を前記記憶部に記憶させ、前記読取時処理部は、前記読取部が読み取った画像を前記一部の枚数についての画像とする前記残りの枚数の画像データに対応付けられている送信元と、他の前記残りの枚数についての画像データに対応付けられている送信元とが一致するか否か判定し、一致すると判定した前記他の残りの枚数についての画像データに基づく画像を前記印刷部に印刷させる。
【００１３】
好適には、前記一部の枚数の画像は、最初に印刷されるものとして前記複数枚に亘る画像データによって規定されている１枚の画像である。
【００１４】
好適には、前記受信時処理部は、前記一部の枚数の印刷とともに、前記残りの枚数の割り付け印刷を前記印刷部に行わせる。
【発明の効果】
【００１５】
上記の構成によれば、印刷の要否の選択に関して利便性が高い。
【図面の簡単な説明】
【００１６】
【図１】図１（ａ）〜図１（ｄ）は本発明の第１実施形態に係る画像通信装置の動作の概要を説明するための模式図。
【図２】図１の画像通信装置を含む通信システムの信号処理系の構成を示すブロック図。
【図３】図２の記憶部のデータ内容を概念的に示す図。
【図４】図１の画像通信装置が実行するメイン処理の手順を示すフローチャート。
【図５】図４のメイン処理のうちの受信時処理の手順を示すフローチャート。
【図６】図４のメイン処理のうちの読取時処理の手順を示すフローチャート。
【図７】図６の読取時処理のうちの同一送信元処理の手順を示すフローチャート。
【図８】図４のメイン処理のうちの時限データ消去処理の手順を示すフローチャート。
【図９】図９（ａ）〜図９（ｄ）は本発明の第２実施形態に係る画像通信装置の動作の概要を説明するための模式図。
【図１０】図１０（ａ）及び図１０（ｂ）は図９の画像通信装置の記憶部のデータ内容を概念的に示す図。
【図１１】図９の画像通信装置が実行する受信時処理の手順の一部を示すフローチャート。
【図１２】本発明の第３実施形態に係る画像通信装置の動作の概要を説明するための模式図。
【発明を実施するための形態】
【００１７】
＜第１実施形態＞
（動作の概要）
図１（ａ）〜図１（ｄ）は、第１実施形態の画像通信装置１の動作の概要を説明するための模式図である。
【００１８】
図１（ａ）に示すように、画像通信装置１は、例えば、ＦＡＸ又は複合機であり、有線又は無線を介して画像データＧＤを受信する。
【００１９】
画像データＧＤは、１つの送信元から１纏りのデータとして送信されたものであり、また、割り付け印刷などが行われずに普通に印刷されれば複数枚（図示の例では４枚）に亘るものである。例えば、画像データＧＤは、送信元がＦＡＸであれば、１回の操作によって複数枚の原稿が連続読み取りされて形成されたものである。
【００２０】
なお、以下では、便宜上、この複数枚のそれぞれについて、画像データかメディア（例えば紙）かを問わずに、Ｐ１〜Ｐ４の符号を付す。また、便宜上、画像データ、画像、原稿及びメディア等を特に区別せずに言及することがある。
【００２１】
図１（ｂ）に示すように、画像通信装置１は、画像データＧＤを受信すると、複数枚に亘る画像データＧＤのうち、予め定められている枚数（一部の枚数。図示の例では１枚）について自動的に印刷を行い、また、受信した画像データＧＤを記憶部３に記憶させる。印刷される一部（１枚）の画像データＰ１は、例えば、複数枚に亘る画像データＧＤが普通に印刷されれば、最初に印刷されるものである。別の観点では、送信元がＦＡＸであれば、一般に、最初に読み込まれた原稿である。特に図示しないが、上記と同様に、他の画像データＧＤが受信されれば、その画像データＧＤについても、一部が印刷され、また、記憶部３に記憶される。
【００２２】
ユーザは、印刷された一部のメディアの画像Ｐ１を見て、残りの画像データＰ２〜Ｐ４の印刷の要否を判断する。そして、要と判断したときは、図１（ｃ）に示すように、そのメディアＰ１を原稿として、画像通信装置１の読取部５に読み取らせる。
【００２３】
図１（ｄ）に示すように、メディアの画像Ｐ１を読み取った画像通信装置１は、画像Ｐ１と一致する画像データＰ１を含む画像データＧＤを記憶部３から抽出する。そして、残りの画像データＰ２〜Ｐ４について、印刷を行う。なお、この際、印刷された画像データＧＤは記憶部３から消去されることが望ましい。
【００２４】
このように、画像通信装置１においては、複数枚に亘る画像データが受信されると、一部の枚数について印刷がなされる。そして、その一部の枚数の印刷物が原稿として画像通信装置１に読み取られると、その原稿に対応する残りの枚数の画像データの印刷がなされる。これにより、印刷すべき画像データの選別がなされる。
【００２５】
以下、上記のような動作を実現するための画像通信装置１等の構成の詳細について述べる。
【００２６】
（画像通信装置を含む通信システム）
図２は、画像通信装置１を含む通信システム５１の信号処理系の構成を示すブロック図である。
【００２７】
通信システム５１は、ネットワーク７と、ネットワーク７に接続された１又は複数の画像通信装置１（図２では１つのみ図示）及び複数の通信端末９（図２では１つのみ図示）とを有している。通信端末９は、画像データを送信し、その画像データは、ネットワーク７を介して画像通信装置１によって受信される。
【００２８】
通信端末９は、例えば、少なくとも、画像データを送信する画像送信機能を有している。通信端末９は、例えば、ＦＡＸ又は複合機であり、原稿を読み取って画像データを生成し、その画像データを送信する。また、通信端末９は、例えば、パーソナルコンピュータ（ＰＣ）又は画像データを送信可能な携帯電話機であってもよい。この場合、通信端末９は、例えば、自己に接続されたスキャナによって原稿を読み取って画像データを生成したり、自己にインストールされた文書作成ソフトウェア又は画像作成ソフトウェアによってユーザの入力操作に応じて画像データを生成したり、又は、他の通信端末から画像データを受信したりし、その画像データを送信する。以下では、主として、ＦＡＸ又は複合機を想定して説明する。
【００２９】
画像通信装置１は、例えば、少なくとも、画像データを受信する画像受信機能と、受信した画像データに基づく画像を印刷する画像印刷機能と、原稿から画像を読み取る画像読取機能とを有している。画像通信装置１は、例えば、ＦＡＸ、複合機、ＰＣにスキャナ及びプリンタが接続されたもの、又は、スキャナが接続されたネットワークプリンタである。なお、通信端末９は、本実施形態の画像通信装置１とされてもよい。以下では、主として、ＦＡＸ又は複合機を想定して説明する。
【００３０】
ネットワーク７は、画像通信装置１と通信端末９との間で画像データに基づく信号を伝送する。上記の画像通信装置１及び通信端末９の例示から理解されるように、ネットワーク７は、例えば、電話回線、インターネット回線又はこれらの組み合わせから構成され、また、例えば、有線回線、無線回線又はこれらの組み合わせから構成されている。
【００３１】
通信端末９から画像通信装置１への画像データの送信方法は、公知の種々のものと同様とされてよい。
【００３２】
例えば、通信端末９は、画像通信装置１のＦＡＸ番号に基づいて、電話回線を介して、複数の画像通信装置１のいずれかと選択的に通信を確立し、画像データを送信する。
【００３３】
また、例えば、通信端末９は、画像通信装置１のＩＰアドレスに基づいて、インターネット回線を介して、複数の画像通信装置１のいずれかと選択的に通信を確立し、画像データを送信する。なお、ＩＰアドレスは、例えば、固定かつグローバルのＩＰアドレスである。また、固定かつグローバルのＩＰアドレスにプロトコル及びポート番号を加えたもの（静的ＩＰマスカレードに利用される情報）もここではＩＰアドレスであるものとする。
【００３４】
また、例えば、通信端末９は、メールアドレスの情報と画像データとを含むメールをメールサーバに送信する。メールサーバは、メールアドレスの情報と、ＦＡＸ番号又はＩＰアドレスの情報とを対応付けたテーブルを保持しており、受信したメールに含まれるメールアドレスの情報に対応するＦＡＸ番号又はＩＰアドレスの情報を取得する。そして、上述したＦＡＸ番号又はＩＰアドレスに基づく送信方法と同様に、取得したＦＡＸ番号又はＩＰアドレスに基づいて、受信した画像データ（メール本文も含んでよい）を送信する。この際、メールサーバは、必要に応じて画像データの形式を変換してもよい。
【００３５】
（画像通信装置の構成）
画像通信装置１は、図１に示した記憶部３及び読取部５の他に、ネットワーク７を介して画像データを受信する受信部１１と、画像を印刷する印刷部１３と、受信部１１及び読取部５からの信号に基づいて印刷部１３及び記憶部３を制御する制御部１５とを有している。また、画像通信装置１は、ユーザーインターフェースとしての操作部１７及び表示部１９とを有している。なお、画像通信装置１は、読取部５で読み取った画像を送信する機能等を有していてよいが、これについては図示及び説明を省略する。
【００３６】
上述の各部の構成は、記憶部３の記憶内容、及び、制御部１５の制御内容を除いては、公知の画像通信装置の各部の構成と同様とされてよい。公知の構成と同様でよい構成については、適宜に説明を省略することがある。
【００３７】
記憶部３は、例えば、不揮発性の記憶装置によって構成されている。例えば、記憶部３は、画像通信装置１に含まれるコンピュータの外部記憶装置（ハードディスク）によって構成されている。ＵＳＢメモリやＣＤなどの画像通信装置１の本体に着脱される記憶媒体（リムーバブルメディア）によって構成されていてもよい。
【００３８】
読取部５は、例えば、原稿の画像を画像データに変換する。具体的には、例えば、読取部５は、不図示の撮像素子に対して原稿を移動させたり、又は、原稿が載置された原稿台に沿って撮像素子を移動させたりして、原稿の画像をスキャニングして画像データを生成する。すなわち、読取部５は、光電変換によって画像データを生成している。読取部５は、複数の原稿を連続的に読み取り可能であってもよいし、１枚の原稿のみを読み取り可能であってもよい。なお、読取部５は、スキャナのようなものでなく、ＰＣに接続された撮像装置のようなものであってもよい。
【００３９】
受信部１１は、例えば、ネットワーク７を介して画像データに係る信号を受信し、受信した信号に対して検波（復調）などを行って画像データに変換する。
【００４０】
印刷部１３は、インクジェットプリンタやレーザープリンタなどの適宜な形式のプリンタによって構成されており、制御部１５からの制御信号に基づいてメディア（例えば紙）に画像を印刷する。
【００４１】
制御部１５は、例えば、特に図示しないが、ＣＰＵ、ＲＯＭ、ＲＡＭ及び外部記憶装置を含んで構成されており、ＣＰＵがＲＯＭ及び／又は外部記憶装置に記憶されているプログラムを実行することにより、各種の制御動作を実行する制御部として構築される。
【００４２】
具体的には、例えば、制御部１５には、図１（ａ）及び図１（ｂ）を参照して説明した処理を行うための受信時処理部２１、図１（ｃ）及び図１（ｄ）を参照して説明した処理を行うための読取時処理部２３、適宜な時期に記憶部３の画像データを消去する時限データ消去部２５、及び操作部１７に対するユーザの操作に応じて記憶部３の画像データを消去する操作データ消去部２７が構築される。
【００４３】
操作部１７は、例えば、複数の押圧式又は接触式のスイッチ（タッチパネルによって構成されてもよい）を含んで構成されており、ユーザの操作を受け付け、その操作に応じた信号を制御部１５に出力する。
【００４４】
表示部１９は、例えば、液晶表示装置又は有機ＥＬ表示装置によって構成されており、制御部１５からの制御信号に基づいて適宜な画像を表示する。なお、表示部１９は、タッチパネルによって構成され、操作部１７に兼用されていてもよい。
【００４５】
（データ内容）
図３は、記憶部３に記憶されているデータベース２９の内容を概念的に示す図である。
【００４６】
データベース２９は、例えば、複数の受信データ３１を保持可能である。受信データ３１は、画像データの受信毎に生成され、データベース２９に蓄積される。また、受信データ３１は、例えば、ネットワーク７を介して受信した画像データ、当該画像データの受信日時の情報、当該画像データの送信元の情報、及び、当該画像データについて図１（ｂ）の一部の枚数の印刷を行った印刷日時の情報を対応付けて含んでいる。
【００４７】
なお、図３は、あくまで概念図であり、実際に図３のようなテーブルが構成されている必要はない。例えば、実際には、送信元の情報が保存されている記憶領域のアドレスと、画像データＧＤが記憶されている記憶領域のアドレスとが対応付けられるなどしていてもよい。また、例えば、同一の送信元毎に、他の情報と画像データとを対応付けたテーブルが構成されるなどしてもよい。
【００４８】
画像データＧＤは、通信端末９からの画像信号を復調して得られるものである。画像データＧＤのデータ形式は、例えば、ＴＩＦＦ（Tagged Image File Format）形式又はＰＤＦ（Portable Document Format）形式等の、ページ区切り及びページの順序を指定する情報（当該情報に相当するとみなしてよい情報を含む）を含むものである。なお、通信端末９が送信した画像データの形式と、データベース２９に記憶される画像データの形式とは異なっていてもよい。すなわち、制御部１５は、受信した画像データを異なる形式のものに変換してデータベース２９に記憶させてもよい。画像通信装置１においては、基本的に、その画像データＧＤに含まれるページ区切り及びページの順番に従って印刷が行われる。
【００４９】
受信日時の情報は、画像通信装置１が画像データＧＤを受信したときの日時である。また、送信元の情報は、例えば、画像通信装置１と通信端末９との通信方式に応じた適宜なものとされてよい。例えば、送信元の情報は、図３において例示するように、ＦＡＸ番号、メールアドレス、又はＩＰアドレスである。受信日時及び送信元の情報の取得は、公知の画像通信装置１と同様になされてよい。
【００５０】
印刷日時は、例えば、図１（ｂ）の一部の枚数についての印刷を行ったときに、制御部１５が計数している時刻が取得される。なお、画像データが受信されると、自動的に図１（ｂ）の印刷が行われるから、基本的には、印刷日時は、受信日時と概ね同じである。ただし、画像通信装置１の動作態様によっては、印刷日時が受信日時とずれることもある。
【００５１】
例えば、画像通信装置１は、用紙が無いなどの理由によって、図１（ｂ）の一部の枚数の印刷ができない場合、一旦、画像データＧＤを保存する。そして、後から用紙が補給されるなど、印刷できない理由が解消されたときに、図１（ｂ）の一部の印刷を行う。この場合、印刷日時は、受信日時からずれたものとなる。
【００５２】
なお、画像通信装置１は、用紙が無いなどの理由によって、図１（ｂ）の一部の枚数の印刷ができない場合、送信元にエラーを報知し、図１（ｂ）以降の処理を行わないように動作してもよい。このような態様においては、受信時に印刷ができたことが受信データ３１の生成の条件となるから、印刷日時は、常に概ね受信日時と同じ日時である。この態様では、受信日時及び印刷日時の一方は省略され、他方と同一視されてもよい。双方が記録されている場合においても、同一視されてよい。
【００５３】
（画像通信装置の動作手順）
以下、画像通信装置の動作手順（制御部１５が実行する処理の手順の一例）を説明する。
【００５４】
（メイン処理）
図４は、制御部１５が実行するメイン処理の手順の一例を示すフローチャートである。この処理は、例えば、画像通信装置１に電源が投入されてから電源が落とされるまで継続的に実行される。
【００５５】
まず、ステップＳ１では、制御部１５は、ネットワーク７から画像データＧＤの受信要求を受信したか否か判定する。そして、制御部１５は、受信要求を受信したと判定したときは、ステップＳ２に進み、受信していないと判定したときは、ステップＳ２をスキップする。
【００５６】
ステップＳ２では、制御部１５は、図１（ｂ）を参照して説明した受信時処理を行う。当該処理については後述する。
【００５７】
ステップＳ３では、制御部１５は、図１（ｃ）を参照して説明した、残りの印刷を行うための読取りが読取部５にて行われたか否か判定する。そして、制御部１５は、読取りが行われたと判定したときは、ステップＳ４に進み、読取りが行われていないと判定したときは、ステップＳ４をスキップする。
【００５８】
なお、画像通信装置１が画像を読み取って送信する機能を有している場合、画像通信装置１は、例えば、画像を送信するための読取りのときの操作方法とは異なる操作方法で、残りの印刷のための原稿の読取りを受け付けてよい。当該操作は、例えば、宛先を指定せずに、読取り開始用のスイッチを押したり、又は、送信時の読取り開始用のスイッチとは異なるスイッチを押したりする操作である。そして、制御部１５は、残りの印刷のための原稿の読取りの操作を受け付け、かつステップＳ３の肯定判定をしたときにステップＳ４に進む。
【００５９】
ステップＳ４では、制御部１５は、図１（ｄ）を参照して説明した読取時処理を行う。当該処理については後述する。
【００６０】
ステップＳ５では、制御部１５は、記憶部３のデータベース２９の整理を行う時期が到来したか否か判定する。そして、制御部１５は、時期が到来したと判定したときはステップＳ６に進み、時期が到来していないと判定したときは、ステップＳ６をスキップする。
【００６１】
データベース２９の整理を行う時期は、画像通信装置１の製造者によって設定されていてもよいし、画像通信装置１のユーザによって設定可能であってもよい。また、データベース２９の整理を行う時期は、予め定められた時刻であってもよいし、所定の事象が生じた時刻（変動する時刻）から一定の時間が経過したときであってもよい。
【００６２】
ステップＳ６では、制御部１５は、時限データ消去処理を行う。当該処理については後述する。
【００６３】
ステップＳ７では、制御部１５は、データベース２９に記憶されている受信データ３１を消去するための操作が操作部１７に対してなされたか否か判定する。そして、制御部１５は、操作がなされたと判定したときはステップＳ８に進み、操作がなされていないと判定したときはステップＳ８をスキップする。
【００６４】
ステップＳ８では、制御部１５は、操作部１７に対する操作内容に応じて受信データ３１を消去する。例えば、制御部１５は、全ての受信データ３１の一括消去を指示する操作がなされたときは、全ての受信データ３１を消去する。また、例えば、制御部１５は、受信データ３１を選択的に消去する操作がなされたときは、その選択された受信データ３１を消去する。なお、画像通信装置１は、一括消去及び選択消去のいずれか一方のみが可能に構成されてもよい。
【００６５】
（受信時処理）
図５は、制御部１５が図４のメイン処理のステップＳ２で実行する受信時処理の手順の一例を示すフローチャートである。
【００６６】
ステップＳ１１では、制御部１５は、送信元の通信端末９（又はネットワーク７上のサーバ）との通信を確立して画像データＧＤを受信する。この画像データＧＤは、例えば、ＲＡＭに保持される。
【００６７】
ステップＳ１２では、制御部１５は、受信した画像データを普通に印刷したと仮定したときの枚数（受信枚数）が、所定の閾値を超えているか否か判定する。そして、制御部１５は、閾値を超えていると判定したときは、ステップＳ１３に進み、閾値を超えていないと判定したときは、ステップＳ１５に進む。
【００６８】
受信枚数は、例えば、画像データに含まれる情報に基づいて特定される。例えば、制御部１５は、画像データに含まれるページ区切りの情報をカウントして受信枚数を特定する。なお、枚数自体の情報が画像データに含まれていてもよい。
【００６９】
閾値は、図１（ｂ）の印刷における一部の枚数以上の枚数で適宜に設定されている。当該閾値は、画像通信装置１の製造者によって設定されていてもよいし、画像通信装置１のユーザによって設定可能であってもよい。また、閾値は、図１（ｂ）の一部の枚数と同一であってもよいし、それよりも多くてもよい。また、閾値は、図１（ｂ）の一部の枚数が変更可能である場合に、一部の枚数の変更に連動して自動的に変更されるものであってもよいし、一部の枚数の変更に無関係であってもよい。
【００７０】
ステップＳ１３では、制御部１５は、図１（ｂ）を参照して説明したように、受信した複数枚に亘る画像データＧＤのうち、一部の枚数の画像データの印刷を行う。なお、一部の枚数は、画像通信装置１の製造者によって設定されていてもよいし、画像通信装置１のユーザによって設定可能であってもよい。
【００７１】
ステップＳ１４では、制御部１５は、図１（ｂ）及び図３を参照して説明したように、受信日時、送信元、印刷日時及び画像データＧＤを含む受信データ３１を生成してデータベース２９に記憶させる（データベース２９を更新する）。なお、本実施形態では、制御部１５は、ステップＳ１３で印刷していない残りの枚数についての画像データだけでなく、ステップＳ１３で印刷した一部の枚数についての画像データもデータベース２９に保持させる。
【００７２】
ステップＳ１５では、制御部１５は、全ての枚数について画像データＧＤを印刷する。このときの枚数は、ステップＳ１２の閾値以下の枚数である。なお、ステップＳ１２の閾値をステップＳ１３の印刷における一部の枚数よりも多くすると、ユーザによっては利便性が向上する。例えば、受信枚数がステップＳ１３の印刷における一部の枚数よりも１枚だけ多い場合、残りの枚数の印刷を保留したことによる用紙の節約の効果は低く、その一方で、残りの枚数の印刷を別途指示することは煩わしい。そこで、閾値を一部の枚数よりも少しだけ多くしておくことにより、このような不都合が解消される。
【００７３】
なお、特に図示しないが、制御部１５は、ステップＳ１３及びＳ１５において、１枚印刷しようとする毎に、印刷可能か否か（用紙が有るか否かなど）を判定する。そして、制御部１５は、印刷不可能と判定したときは、例えば、送信元にその旨を報知して、受信時処理を抜けてメイン処理に戻ってもよいし、一旦、その印刷を保留して、他の実行可能な処理を行い、印刷可能になったときに、続きを印刷してもよい。
【００７４】
（読取時処理）
図６は、制御部１５が図４のメイン処理のステップＳ４で実行する読取時処理の手順の一例を示すフローチャートである。
【００７５】
ステップＳ２１では、制御部１５は、データベース２９に受信データ３１が有るか否か判定する。そして、制御部１５は、受信データ３１が有ると判定したときはステップＳ２２に進み、無いと判定したときはステップＳ２７に進む。
【００７６】
ステップＳ２２では、制御部１５は、データベース２９から１つの受信データ３１を抽出し、その受信データ３１に含まれている画像データＧＤのうち、ステップＳ１３で印刷されたはずの画像データと、読取部５によって得られた画像データとが一致するか否か判定する。そして、制御部１５は、一致すると判定したときはステップＳ２３に進み、一致しないと判定したときはステップＳ２６に進む。
【００７７】
ここでいう画像の一致は、両画像の類似性が一定の基準を超えて高いことをいい、厳密な意味で完全に一致することは意味しない。また、画像の一致の判定には、公知の種々の方法が適用されてよい。例えば、一致の判定は、画像自体の比較によってなされてもよいし、特徴量の比較によってなされてもよい。一致すると判定するときの閾値も適宜に設定されてよい。また、両画像は、基本的には同じ大きさ及びオフセットのはずであるが、印刷又は読取りの際に生じるずれを考慮して、画像データの相対位置を少しずつ（例えば１画素ずつ）ずらしながら一致するか否かの判定がなされてもよい。
【００７８】
ステップＳ１３で印刷される一部の枚数が２以上である場合、この一致の判定は、例えば、一部の枚数と同一の枚数の原稿の画像が読取部５で読み取られ、かつ一部の枚数の全ての画像について一致するときに肯定判定がなされるものであってもよいし、一部の枚数（例えば２枚）よりも少ない枚数（例えば１枚）の原稿の画像が読取部５で読み取られ、その原稿の画像と一致する画像が受信データ３１の一部の枚数の画像に含まれるときに肯定判定がなされるものであってもよい。
【００７９】
ステップＳ２３では、制御部１５は、読取部５で得られた画像データと一致する画像データを含むと判定された受信データ３１の画像データＧＤのうち、図１（ｂ）で印刷されなかった残りの枚数の画像データの印刷を行う。
【００８０】
ステップＳ２４では、制御部１５は、ステップＳ２３で残りの枚数の印刷が行われた受信データ３１をデータベース２９から消去する（データベース２９を更新する）。
【００８１】
ステップＳ２５では、制御部１５は、ステップＳ２３で残りの印刷を行った受信データ３１と同一の送信元の受信データ３１に関する処理である同一送信元処理を実行する。当該処理については後述する。
【００８２】
ステップＳ２６では、制御部１５は、全ての受信データ３１についてステップＳ２２の画像の一致の判定がなされたか否か判定する。そして、制御部１５は、全ての受信データ３１について判定済みでない判定したときは、ステップＳ２２に戻り、まだ判定されていない受信データ３１について判定を行い、全ての受信データ３１について判定済みと判定したときは、ステップＳ２７に進む。すなわち、ステップＳ２２とＳ２６との繰り返しにより、読取部５で読み取られた画像をキーとして、データベース２９が検索される。
【００８３】
ステップＳ２７では、制御部１５は、エラー報知を表示部１９などの報知部に行わせ、読取時処理を終了する。すなわち、残りの枚数の印刷を行うべく、読取部５に原稿を読み取らせても、受信データ３１が存在しない場合（ステップＳ２１の否定判定）、及び、読み取られた画像と一致する画像のデータを有する受信データ３１が存在しない場合（ステップＳ２６の肯定判定）、残りの枚数の印刷は行われない。
【００８４】
（同一送信元処理）
図７は、制御部１５が図６の読取時処理のステップＳ２５で実行する同一送信元処理の手順の一例を示すフローチャートである。
【００８５】
ステップＳ３１では、制御部１５は、ステップＳ２２及びＳ２６の繰り返しによって抽出した受信データ３１から送信元の情報を取得し、その送信元の情報をキーとして、データベース２９を検索する。すなわち、制御部１５は、残りの枚数の印刷が指示された画像データと同一の送信元の画像データを検索する。そして、制御部１５は、同一の送信元の画像データが１以上見つかれば、ステップＳ３２に進み、見つからなければ、以降のステップをスキップして図７の処理を終える。
【００８６】
ステップＳ３２では、制御部１５は、同一の送信元の画像データの画像を印刷するか否かをユーザに問い合わせるための画像を表示部１９に表示させる。この画像は、例えば、同一の送信元からの画像データが有ることを示しつつ、残りの印刷の要否を問う簡素なものであってもよいし、これに加えて、その画像データの受信日時及び残りの枚数等の情報を示すものであってもよい。
【００８７】
ステップＳ３３では、制御部１５は、操作部１７に対して肯定操作及び否定操作のいずれがなされたか判断する。そして、制御部１５は、肯定操作がなされたと判定したときはステップＳ３４に進み、否定操作がなされたと判定したときは、以降のステップをスキップして図７の処理を終える。
【００８８】
ステップＳ３４及びＳ３５では、制御部１５は、ステップＳ３１で検索して得られた受信データ３１について、ステップＳ２３及びＳ２４と同様に、残りの枚数について印刷部１３に印刷を行わせるとともに、残りの枚数の印刷が終了した受信データ３１をデータベース２９から消去する。
【００８９】
なお、ステップＳ３１で、同一の送信元からの複数の受信データ３１が見つかったとき、ステップＳ３２及びＳ３３は、例えば、複数の受信データ３１について一括して残りの枚数の印刷を指示したり、複数の受信データ３１のいずれかを選択して残りの印刷を指示したりすることが可能な態様で実現されてよく、また、いずれか一方のみが可能であってもよい。複数の受信データ３１の選別は、例えば、ステップＳ３２及びＳ３３で一時に行われ、その選別された全ての受信データ３１についての印刷等がステップＳ３４及びＳ３５で行われる。複数の受信データ３１についてステップＳ３２〜Ｓ３５を順次行うことによって、複数の受信データ３１の選別及び印刷が行われてもよい。
【００９０】
（時限データ消去処理）
図８は、制御部１５が図４のメイン処理のステップＳ６で実行する時限データ消去処理の手順の一例を示すフローチャートである。
【００９１】
ステップＳ４１では、制御部１５は、データベース２９に受信データ３１が１以上有るか否か判定する。そして、制御部１５は、有ると判定したときはステップＳ４２に進み、無いと判定したときは、以降のステップをスキップして図８の処理を終える。
【００９２】
ステップＳ４２では、制御部１５は、データベース２９から１つの受信データ３１を抽出し、その抽出した受信データ３１の受信日時又は印刷日時から所定時間が経過しているか否か、自己が計数している現在時刻に基づいて判定する。そして、制御部１５は、所定時間が経過していると判定したときは、ステップＳ４３に進み、経過していないと判定したときはステップＳ４３をスキップしてステップＳ４４に進む。
【００９３】
ステップＳ４３では、制御部１５は、ステップＳ４２で所定時間が経過していると判定した受信データ３１をデータベース２９から消去する（データベース２９を更新する。）。これにより、受信データ３１は、残りの枚数についての印刷が行われたか否かに関わらず（別の観点では印刷が行われていなくても）、消去される。
【００９４】
なお、受信日時ではなく、印刷日時を基準とする場合においては、例えば、画像データの受信時に用紙が無いときに一部の枚数についての印刷を保留し、用紙が補給されたときに一部の印刷を行うような構成において、一部の枚数についての印刷が行われた直後に残りの枚数の画像データが消去されてしまうような不都合を避けることができる。
【００９５】
基準となる時刻（本実施形態では受信日時又は印刷日時）から受信データの消去が行われる（消去が許容される）までの所定時間は、例えば、製造者が設定しておいてもよいし、ユーザにおいて設定可能であってもよい。また、制御部１５は、受信時処理（ステップＳ２）において、基準となる時刻を画像データＧＤと対応付けて記憶するのではなく、基準となる時刻に所定時間を足した消去すべき時刻を画像データＧＤと対応付けて記憶させ、ステップＳ４２で、その消去すべき時刻と現在時刻とを比較してもよい。
【００９６】
ステップＳ４４では、制御部１５は、全ての受信データ３１について、ステップＳ４２の判定を行ったか否か判定する。そして、制御部１５は、全ての受信データ３１について判定済みでないと判定したときはステップＳ４２に戻り、判定済みと判定したときは図８の処理を終了する。すなわち、ステップＳ４４及びＳ４２により、全ての受信データ３１について、消去すべき時刻が到来したか否か判定される。
【００９７】
なお、図８の説明から理解されるように、図４のステップＳ５は省略可能である。ただし、消去までの所定時間（ステップＳ４２）は、一般には、さほど短い時間には設定されないと考えられ、また、画像通信装置１も、一般には、絶えず画像データを受信しているわけではない。従って、ステップＳ５を挿入しても、ステップＳ５のデータ整理時期を適宜に設定すれば、記憶部３の記憶領域の解放の停滞はさほど生じず、むしろ、制御部１５の負担が軽減され、好ましい。
【００９８】
以上のとおり、本実施形態では、画像通信装置１は、画像データを受信可能な受信部１１と、画像データを記憶可能な記憶部３と、画像を印刷可能な印刷部１３と、原稿の画像を読み取り可能な読取部５と、受信部１１及び読取部５からの信号に基づいて記憶部３及び印刷部１３を制御する制御部１５と、を有している。制御部１５は、受信時処理部２１と、読取時処理部２３とを有している。受信時処理部２１は、受信部１１が複数枚に亘る画像データＧＤを受信したときに、一部の枚数について画像データＧＤに基づく画像を印刷部１３に印刷させ（ステップＳ１３）、少なくとも残りの枚数について画像データＧＤを記憶部３に記憶させる（ステップＳ１４）。読取時処理部２３は、読取部５が原稿の画像を読み取ったときに、記憶部３に記憶されている残りの枚数についての画像データから、読み取られた画像を一部の枚数の画像とするものを特定し、特定した画像データに基づく画像を印刷部１３に印刷させる（ステップＳ２２及びＳ２３）。
【００９９】
従って、印刷の要否の選択に関して利便性が向上する。例えば、一部の枚数については、受信時に自動的に印刷がなされるから、ユーザは受信の有無を簡便に把握できる。また、例えば、ユーザは、その印刷された一部の枚数の画像を見ることができるから、残りの枚数の印刷の要否の検討が容易である。また、例えば、その印刷された一部の枚数の画像を読取部５に読み取らせることによって、記憶部３に記憶されている複数種類の画像データＧＤ（複数の受信データ３１）から、残りの枚数の印刷を行う受信データ３１を指定できるから、操作部１７の操作に習熟する必要がない。
【０１００】
なお、ここでいう、受信部１１が受信した「とき」、又は読取部５が読み取った「とき」は、受信又は読取りの進行と同時であってもよいし、受信又は読取りから多少のタイムラグがあってもよい。
【０１０１】
また、本実施形態では、受信時処理部２１は、一部の枚数についての画像データも記憶部３に記憶させる（ステップＳ１４）。読取時処理部２３は、読取部５が読み取った画像と、記憶部３に記憶されている一部の枚数についての画像データに基づく画像とが一致するか否か判定し（ステップＳ２２）、一致すると判定した画像に対応する残りの枚数についての画像を印刷部１３に印刷させる。
【０１０２】
従って、例えば、印刷された一部の枚数の画像自体に基づいて、残りの枚数の画像データが選択されて印刷されるから、後述する第２実施形態のように、一部の枚数の画像に識別用のマークを付加するような処理は不要である。その結果、例えば、印刷された画像をそのまま観賞用に利用したいような場合に、不要なマークが画像に紛れる不都合が生じない。
【０１０３】
また、本実施形態では、受信時処理部２１は、残りの枚数についての画像データと対応付けて所定の時刻（受信日時又は印刷日時）を記憶部３に記憶させる（ステップＳ１４）。制御部１５は、時限データ消去部２５を有しており、時限データ消去部２５は、記憶部３に記憶されている所定の時刻が現在時刻に対して所定の条件を満たすか否か（例えば所定の時刻から所定時間が経過しているか否か）判定し（ステップＳ４２）、満たすと判定した所定時刻に対応付けられている残りの枚数についての画像データを記憶部３から消去する（ステップＳ４３）。
【０１０４】
従って、例えば、ユーザは、印刷不要な残りの枚数の画像データを記憶部３から消去するための操作を操作部１７に対してわざわざ行う必要はない。すなわち、残りの印刷が不要なときは、一部の枚数の印刷物を原稿として読取部５に読み取らせずに、放置すればよい。その結果、利便性が向上する。
【０１０５】
また、本実施形態では、画像通信装置１は、ユーザの操作を受け付ける操作部１７を有している。制御部１５は、操作データ消去部２７を有しており、操作データ消去部２７は、残りの枚数についての画像データに基づく画像の印刷の有無に関わらず、操作部１７に対する所定の操作に応じて残りの枚数の画像データを記憶部３から消去する（ステップＳ８）。
【０１０６】
従って、例えば、印刷が不要な大量の画像データを受信したときに、その画像データを記憶部３から削除して、記憶部３の記憶領域を解放できる。また、例えば、印刷が不要といえども、長期に記憶部３に残しておくことが好ましくない情報を任意の時期に削除できる。
【０１０７】
また、本実施形態では、受信時処理部２１は、残りの枚数の画像データに対応付けて、当該画像データの送信元の情報（図３）を記憶部３に記憶させる（ステップＳ１４）。
読取時処理部２３は、読取部５が読み取った画像を一部の枚数についての画像とする残りの枚数の画像データに対応付けられている送信元と、他の残りの枚数についての画像データに対応付けられている送信元とが一致するか否か判定し（ステップＳ３１）、一致すると判定した他の残りの枚数についての画像データに基づく画像を印刷部１３に印刷させる（ステップＳ３４）。
【０１０８】
従って、例えば、画像データの内容ではなく、送信元によって残りの枚数について印刷の要否が決まるような場合において、印刷が必要な送信元からの複数回に亘る受信について、受信毎に一部の枚数の画像を読取部５に読み取らせるような手間が省かれる。
【０１０９】
また、本実施形態では、一部の枚数の画像（ステップＳ１３）は、最初に印刷されるものとして複数枚に亘る画像データＧＤによって規定されている１枚の画像である。
【０１１０】
通常、最初に印刷される１枚の画像には、送信元及び送信内容などの、残りの枚数の内容について予測可能な情報が含まれていることが多い。このような１枚のみを印刷することによって、不要な印刷を極力避けつつ、残りの印刷に必要な情報をユーザに極力提供することができる。
【０１１１】
＜第２実施形態＞
（動作の概要）
図９（ａ）〜図９（ｄ）は、第２実施形態の画像通信装置２０１の動作の概要を説明するための模式図である。
【０１１２】
図９（ａ）に示すように、画像通信装置２０１は、複数枚（Ｐ１〜Ｐ４）に亘る画像データＧＤを受信すると、第１実施形態と同様に、一部の枚数（Ｐ１）について印刷を行い、また、画像データを記憶部３に保持する。
【０１１３】
ただし、画像通信装置２０１は、第１実施形態とは異なり、一部の枚数の印刷において、画像Ｐ１にマーク１０７を付加する。また、画像通信装置２０１は、全ての枚数について画像データＧＤを記憶部３に保持するのではなく、残りの枚数についてのみ画像データを記憶部３に保持する。なお、画像通信装置２０１は、全ての枚数について画像データＧＤを記憶部３に保持してもよい。
【０１１４】
図９（ｂ）は、一部の枚数のメディアＰ１に印刷された画像１０３を示している。画像１０３は、メイン画像１０５と、マーク１０７とを含んでいる。メイン画像１０５は、画像通信装置２０１が受信した画像データＧＤに基づく画像であり、マーク１０７は、図９（ａ）において画像通信装置２０１が付加した画像である。マーク１０７は、例えば、受信毎に（画像データＧＤ毎に）、異なる種類（図柄）のものが割り当てられる。マーク１０７の位置は適宜に設定されよく、例えば、メディアＰ１の右下など、四隅のいずれか１つである。
【０１１５】
図９（ｃ）に示すように、画像通信装置２０１では、第１実施形態と同様に、図９（ａ）で印刷された一部の枚数のメディアＰ１が原稿として読取部５に供給される。これにより、残りの枚数の印刷を行う画像データＰ２〜Ｐ４が指定されるとともに、当該画像データに基づく画像の印刷が指示される。
【０１１６】
ただし、画像通信装置２０１は、第１実施形態とは異なり、メイン画像１０５ではなく、マーク１０７に基づいて、読取部５において読み取られたメディアＰ１に対応する残りの枚数についての画像データＰ２〜Ｐ４を特定し、抽出する。
【０１１７】
そして、図９（ｄ）に示すように、抽出された画像データに基づく画像Ｐ２〜Ｐ４が印刷される。この際、画像通信装置２０１は、一部の枚数の印刷において画像Ｐ１に付加したマーク１０７を、画像Ｐ２〜Ｐ４にも付加する。これにより、画像Ｐ１と画像Ｐ２〜Ｐ４との対応関係が明確になる。ただし、マーク１０７は、画像Ｐ２〜Ｐ４に付加されなくてもよい。
【０１１８】
（画像通信装置等の構成）
第２実施形態に係る画像通信装置２０１及び当該画像通信装置２０１を含む通信システムは、その構造自体は第１実施形態のものと同様であり、図２を参照して説明したとおりである。なお、以下では、図２等の符号を第２実施形態のものとして参照することがある。画像通信装置２０１は、制御部１５の制御及び記憶部３の記憶内容が第１実施形態と相違する。具体的には、例えば、以下のとおりである。
【０１１９】
（データ内容）
図１０（ａ）は、記憶部３に記憶されているデータベース２２９の内容を概念的に示す図である。
【０１２０】
データベース２２９は、第１実施形態のデータベース２９に対応するものであり、複数の受信データ２３１を保持可能である。受信データ２３１は、第１実施形態の受信データ３１にマーク１０７の情報を付加したものである。なお、図１０（ａ）では、受信データ３１の受信日時及び印刷日時に係る情報の図示は省略している。
【０１２１】
なお、図３と同様に、図１０（ａ）は概念図である。従って、実際には、例えば、マーク１０７の画像データ自体が対応付けられるのではなく、マーク１０７の画像データが保存されている記憶領域のアドレスが対応付けられていてもよい。
【０１２２】
マーク１０７の画像データは、ラスタ形式であってもよいし、ベクタ形式であってもよい。マーク１０７の具体的な図柄は適宜に設定されよく、例えば、図形のみから構成されてもよいし、記号又は文字を含んで構成されてもよい。
【０１２３】
図１０（ａ）の例では、マーク１０７は、送信元毎に互いに異なる図形が割り当てられるとともに、同一の送信元について受信毎に互いに異なる番号が割り当てられて構成されている。具体的には、図示の例では、上から１〜３行は、互いに送信元が異なっていることから、マーク１０７の図形が互いに異なっており、また、上から２行目及び下から１〜２行目は、送信元が同一であることから、マーク１０７の図形が互いに同一で、マーク１０７の番号が互いに異なっている。
【０１２４】
なお、図１０（ａ）はあくまで一例である。従って、例えば、マーク１０７は、図形のみから構成され、また、送信元が同じか否かに関わらず、受信毎に互いに異なる図形が割り当てられて構成されてもよい。また、例えば、マーク１０７は、全ての受信に共通の図形と、送信元が同じか否かに関わらず受信毎に割り当てられた番号との組み合わせによって構成されてもよい。番号に代えて、アルファベットなどの文字乃至は記号が用いられてもよい。
【０１２５】
図１０（ｂ）は、制御部１５による受信データ２３１へのマーク１０７の割り当てのために記憶部３に記憶されている割当用テーブル２３３の内容を示す概念図である。
【０１２６】
割当用テーブル２３３は、複数の割当データ２３５を保持可能である。割当データ２３５は、例えば、マーク１０７の図形部分１０９と、その図形部分１０９が割り当てられた送信元の情報と、図形部分１０９と共にマーク１０７を構成する番号に係る情報とを対応付けて保持している。
【０１２７】
送信元に割り当てられていない図形部分１０９は、送信元の情報が「ＮＵＬＬ」とされている。送信元に対する図形部分１０９の割り当ては、例えば、後述するように制御部１５が自動的に行う。ただし、ユーザが割当用テーブル２３３を更新して、送信元に対して任意の図形部分１０９を割り当ててもよい。また、図形部分１０９の画像データは、製造者において用意されているが、ユーザが追加可能であってもよい。番号は、例えば、その図形部分１０９に関して、前回の印刷で付加した番号又は次の印刷で付加すべき番号である。
【０１２８】
（画像通信装置の動作手順）
画像通信装置２０１（制御部１５）は、第１実施形態と同様に、メイン処理（図４）を実行する。メイン処理の各ステップにおける処理も、第１実施形態と概ね同様である。以下では、相違部分について述べる。
【０１２９】
（受信時処理）
図１１は、制御部１５が実行する受信時処理の一部（図５との相違部分）の手順を示すフローチャートである。図示のステップは、例えば、図５のステップＳ１２とＳ１３との間（一部の枚数についての印刷の手前）に挿入される。
【０１３０】
ステップＳ５１では、制御部１５は、ステップＳ１１で受信した画像データの送信元の情報をキーとして、割当用テーブル２３３の送信元の情報を検索し、画像データの送信元に既にマーク１０７の図形部分１０９が割り当てられているか否か判定する。そして、制御部１５は、割り当てられていないと判定したときはステップＳ５２に進み、割り当てられていると判定したときはステップＳ５２をスキップしてステップＳ５３に進む。
【０１３１】
ステップＳ５２では、制御部１５は、送信元が割り当てられていない（送信元が「ＮＵＬＬ」とされている）図形部分１０９に対して、ステップＳ１１で受信した画像データの送信元の情報を対応付けて割当用テーブル２３３に記憶させる（割当用テーブル２３３を更新する。）。すなわち、制御部１５は、送信元に図形部分１０９（割当データ２３５）を割り当てる。また、制御部１５は、その割り当てた割当データ２３５の番号に係る情報を初期値にする。
【０１３２】
ステップＳ５３及びＳ５４では、制御部１５は、ステップＳ５１において特定した割当データ２３５、又はステップＳ５２で送信元を割り当てた割当データ２３５から、図形部分１０９の画像データ及び番号に係る情報を取得する。取得後、制御部１５は、その割当データ２３５の番号が１つ増加するように、割当用テーブル２３３を更新する。なお、番号が所定の閾値を超えるなどしたときは、番号を初期値に戻すように番号に係る情報を更新してもよい。
【０１３３】
ステップＳ５５では、制御部１５は、ステップＳ５３及びＳ５４で取得した図形部分１０９の画像データ及び番号の情報に基づいて、ステップＳ１３で印刷される一部の枚数の画像にマーク１０７が含まれるように、ステップＳ１１で受信した画像データを修正する。
【０１３４】
そして、ステップＳ１３では、そのマーク１０７を含む画像が印刷される。また、ステップＳ１４では、第１実施形態と同様に、少なくとも残りの枚数についての画像データを含む受信データ２３１が生成され、データベース２２９に記憶される。ただし、本実施形態では、ステップＳ１４の記憶の際、一部の枚数についての画像に付加されたマーク１０７の画像データも、受信データ２３１の一部としてデータベース２２９に記憶される。
【０１３５】
（読取時処理）
第２実施形態における読取時処理の手順は、図６に示したものと同様である。
【０１３６】
ただし、ステップＳ２２の画像の一致の判定においては、第１実施形態とは異なり、読み取られた画像に含まれるマーク１０７と、データベース２２９に記憶されているマーク１０７とが一致するか否かが判定される。
【０１３７】
例えば、制御部１５は、データベース２２９からマーク１０７を読み出し、その読み出したマーク１０７をテンプレートとして、読取部５で読み取った画像に対する位置を少しずつ（例えば１画素ずつ）ずらしながら一致するか否かの判定（テンプレートマッチング）を行う。なお、マーク１０７を付すのは制御部１５であるから、制御部１５は、マーク１０７が付されている位置を把握している。従って、テンプレートマッチングは、読取部５で読み取られた画像の全体に対して行われる必要はなく、一部の領域（隅部の一つなど）においてのみ行われてもよい。なお、画像の一致が厳密な意味で完全に一致することを意味しないこと、画像の一致の判定に公知の種々の方法が適用されてよいこと等は、第１実施形態と同様である。
【０１３８】
また、第２実施形態では、ステップＳ２３の残りの枚数の印刷において、ステップＳ５５を経由したステップＳ１３の一部の枚数についての印刷と同様に、マーク１０７が付加されるように修正された画像データに基づいて印刷が行われる。なお、画像データの修正は、ステップＳ２３の直前に行われてもよいし、ステップＳ５５において、一部の枚数についての画像データの修正とともに行われてもよい。
【０１３９】
特に図示しないが、第２実施形態では、上記の他、制御部１５は、割当用テーブル２３３の図形部分１０９に対する割り当ての解除も行う。例えば、制御部１５は、所定の時期（ステップＳ５の時期と同じでもよい）が到来すると、割当用テーブル２３３から送信元の情報を順次読み出し、その読み出した送信元の情報をキーとしてデータベース２２９を検索する。その結果、該当する受信データ２３１がヒットしなかった割当データ２３５については、送信元の情報をＮＵＬＬにする。
【０１４０】
以上のとおり、本実施形態においても、受信時処理部２１は、受信部１１が複数枚に亘る画像データＧＤを受信したときに、一部の枚数について画像データＧＤに基づく画像を印刷部１３に印刷させ（ステップＳ１３）、少なくとも残りの枚数について画像データＧＤを記憶部３に記憶させる（ステップＳ１４）。読取時処理部２３は、読取部５が原稿の画像を読み取ったときに、記憶部３に記憶されている残りの枚数についての画像データから、読み取られた画像を一部の枚数の画像とするものを特定し、特定した画像データに基づく画像を印刷部１３に印刷させる（ステップＳ２２及びＳ２３）。従って、第１実施形態と同様に、印刷の要否の選択に関する利便性が向上する。
【０１４１】
また、本実施形態では、受信時処理部２１は、一部の枚数についての画像に、受信毎に割り当てたマーク１０７を付加して印刷部に印刷させ（ステップＳ５５及びＳ１３、図９（ｂ））、残りの枚数についての画像データに対応付けてマーク１０７の情報を記憶部３に記憶させる（ステップＳ１４）。読取時処理部２３は、読取部５が原稿から読み取った画像に含まれているマーク１０７と、記憶部３にて残りの枚数についての画像データと対応付けられているマーク１０７とが一致するか否か判定し（ステップＳ２２、図９（ｃ））、一致すると判定したマーク１０７と対応付けられている残りの枚数についての画像データを印刷部１３に印刷させる。
【０１４２】
従って、例えば、受信した画像自体を比較する第１実施形態に比較して、一致するか否かの判定に供される画像データを、簡素なもの及び／又はデータ量が小さいものにできる。その結果、例えば、制御部１５の負担が軽減され、また、誤認識のおそれも低減される。
【０１４３】
また、本実施形態では、読取時処理部２３は、残りの枚数についての画像に、当該画像の画像データに対応付けられているマーク１０７を付加して印刷部１３に印刷させる（ステップＳ２３、図９（ｄ））。
【０１４４】
従って、例えば、一部の枚数の画像と、残りの枚数の画像との対応関係が明確化され、便利である。また、例えば、一部の枚数の画像を複数組について連続的に読取部５に読み取らせ、残りの枚数の画像を複数組について一括して印刷したような場合にも、一部の枚数の画像と、残りの枚数の画像との対応関係を後から把握することができる。
【０１４５】
＜第３実施形態＞
図１２は、第３実施形態に係る画像通信装置３０１の動作を説明するための模式図である。
【０１４６】
第１及び第２実施形態では、画像通信装置は、画像データＧＤを受信すると、一部の枚数についてのみ印刷を行った。これに対して、画像通信装置３０１は、一部の枚数（Ｐ１）の印刷とともに、残りの枚数（Ｐ２〜Ｐ５）の割り付け印刷を行う。割り付けの数及び配置は、製造者において設定されていてもよいし、ユーザによって設定可能であってもよい。また、一部の枚数の印刷と、残りの枚数の印刷とはいずれが先になされてもよい。好適には、前者の後に後者がなされる。
【０１４７】
上記の残りの枚数についての割り付け印刷以外は、画像通信装置３０１は、第１又は第２実施形態と同様である。例えば、少なくとも残りの枚数についての画像データは記憶部３に記憶される。そして、一部の枚数の画像が印刷されたメディアＰ１が原稿として読取部５に供給されることにより、記憶部３から、対応する残りの枚数の画像Ｐ２〜Ｐ５が選択され、印刷がなされる。
【０１４８】
このように、受信時処理部２１が、一部の枚数についての印刷とともに、残りの枚数についての割り付け印刷を印刷部１３に行わせることによって、メディア（用紙）を節約しつつ、残りの印刷の要否の検討に必要な情報を、より多くユーザに提供することができる。
【０１４９】
本発明は、以上の実施形態に限定されず、種々の態様で実施されてよい。
【０１５０】
一部の枚数の画像は、最初に印刷されるものとして画像データによって規定されている１枚の画像に限定されない。例えば、一部の枚数は、２枚以上であってもよいし、一部の枚数の画像は、中途又は最後に印刷される画像であってもよい。
【０１５１】
受信時に印刷される枚数と、残りの枚数の画像データを特定するために用いられる枚数とは、同一でなくてもよい。例えば、複数枚（ｔ枚）に亘る画像について、残りの枚数の画像データを特定するために用いられる枚数（ａ枚）を「一部の枚数」と規定したとき、受信時に印刷される枚数（ｂ枚）は、これよりも多くてもよい（ｂ＞ａ）。また、この場合、読取部処理部によって印刷される「残りの枚数」は、一部の枚数（ａ枚）を除く「残りの『全ての』枚数」（ｔ−ａ）を意味せず、「残りの『他の一部』の枚数」（例えばｔ−ｂ）であってよい。
【０１５２】
読み取った画像に基づいて、記憶部に記憶されている残りの枚数についての画像データから、読み取られた画像に対応する画像データを特定する方法は、実施形態に例示したものに限定されない。例えば、第２実施形態のマークに代えて、１次元バーコード又は２次元バーコードが付加されて印刷されてもよい。この場合、バーコードに、受信した画像データを蓄積したデータベースを検索するキーとなる情報を含ませてよい。当該情報は、例えば、受信日時及び送信元の組み合わせ、又は、受信した画像データに対応付けられて記憶された任意の番号などである。また、マークに代えて、上記のようなキーとなる情報を文字で付加し、その文字をＯＣＲ（optical character recognition）で読み取ってもよい。
【符号の説明】
【０１５３】
１…画像通信装置、３…記憶部、５…読取部、１１…受信部、１３…印刷部、１５…制御部、２１…受信時処理部、２３…読取時処理部。
【図１】
0006572071.tif 000002
【図２】
0006572071.tif 000003
【図３】
0006572071.tif 000004
【図４】
0006572071.tif 000005
【図５】
0006572071.tif 000006
【図６】
0006572071.tif 000007
【図７】
0006572071.tif 000008
【図８】
0006572071.tif 000009
【図９】
0006572071.tif 000010
【図１０】
0006572071.tif 000011
【図１１】
0006572071.tif 000012
【図１２】
0006572071.tif 000013